(57)【要約】      （修正有）【課題】フィルタを簡単に交換でき、濾した泥を簡単に取り出して廃棄できる、小型軽量化された濾過装置を提供する。【解決手段】泥水から泥を濾し分ける目の荒さを持った多孔性の袋１４と、この袋の口を広げて着脱可能に固定するためのスリーブ１８と、このスリーブの開口を塞ぐキャップ２２と、このキャップ２２に設けられて、泥水を注ぎ込むためのホース接続口２４と、上端に上記スリーブ２２を支持して、内部に上記袋１４を吊り下げるように支持するフレーム２６と、フレーム２６を収容し、底に近い部分に濾過された水を排出する排出口３８を設けた容器３６を備える。フレーム２６は、袋１４の外面と容器３６の内面との間に、濾過された水が排出口３８に流れる空間を形成している。【選択図】図１
0003195202.tif 000002
【実用新案登録請求の範囲】
【請求項１】
泥水から泥を濾し分ける目の荒さを持った多孔性の袋と、
この袋の口を広げて着脱可能に固定するスリーブと、
このスリーブの開口を塞ぐキャップと、
このキャップに設けられて、泥水を注ぎ込むためのホース接続口と、
上端に上記スリーブを支持して、内部に上記袋を吊り下げるように支持するフレームと、
フレームを収容し、底に近い部分に濾過された水を排出する排出口を設けた容器とを備え、
上記フレームは、上記袋の外面と上記容器の内面との間に、濾過された水が上記排出口まで流れる空間を形成していることを特徴とする濾過装置。
【請求項２】
上記フレームは、上記スリーブを支持する上部リングと、土台になる下部リングと、袋を円筒状に取り囲む数本の支柱により構成され、下部リングの外径は上部リングの外径よりも小さいことを特徴とする請求項１に記載の濾過装置。
【請求項３】
上記スリーブには、側面に、袋の上部から溢れ出た泥水を、上記フレームを介して容器上部に流すための窓が設けられていることを特徴とする請求項１または２に記載の濾過装置。
【請求項４】
袋が膨らんだときの外径が、フレームの柱により形成された円筒状の空間の内径とほぼ等しくなるように寸法が選定されていることを特徴とする請求項１乃至３のいずれかに記載の濾過装置。
【請求項５】
上記スリーブの外周に設けたフランジの外径が上記フレームの上部リングの内径より大きく、上記スリーブが上記上部リング上に支持されていることを特徴とすることを特徴とする請求項１乃至４のいずれかに記載の濾過装置。
【請求項６】
少なく上記フレームとキャップは金属製でその他の部品はプラスチック製としたことを特徴とする請求項１乃至５のいずれかに記載の濾過装置。
【考案の詳細な説明】
【技術分野】
【０００１】
本考案は、水道工事で発生した泥水に含まれた泥を濾過してから側溝等に排水するための濾過装置に関する。
【背景技術】
【０００２】
老朽化した水道管から漏水が生じると、補修工事のために漏水箇所まで地面を掘り進む間に、水道水と水道管の周辺の泥とが混じって現場で多量の泥水が発生する。この泥水をそのまま側溝に排水すると、側溝の排水機能を損ない、道路や側溝周辺を汚染することにもなる。水道工事で、水道管に孔を開けたり切断したりする作業を伴う場合にも同様のことが生じる。このほか、道路工事やガス管工事等の際に、誤って水道管を破損するような事故もある。いずれの場合も、泥水の排水が必要になる。このために、工事現場で発生した泥水に含まれた泥をフィルタで濾過するような技術が紹介されている（特許文献１）（特許文献２）（特許文献３）。
【先行技術文献】
【特許文献】
【０００３】
【特許文献１】特開２０１４−４７６１１号公報
【特許文献２】特開２０１４−１１８７２９号公報
【特許文献３】特開平６−２３４０９９号公報
【考案の概要】
【考案が解決しようとする課題】
【０００４】
既知の従来の技術には、次のような解決すべき課題があった。
漏水箇所に向かって地面を掘り進むと、水道水が水道管の周辺の泥を大量に巻き込んで吹き出している部分に到達する。地面を掘削しながらこの泥水を急速にポンプで汲み上げて排水し、水道管の漏水箇所を露出させる。従って、ポンプで組み上げた泥水からすみやかに泥を濾しとる性能の良い濾過装置が求められる。しかしながら、泥の量が多いと濾過装置のフィルタが短時間で目詰まりを生じる。大量の泥水を処理できる大規模な装置は現場への持ち込みが容易でなく、実用性に乏しい。上記の課題を解決するために、本考案は、フィルタを簡単に交換でき、濾した泥を簡単に取り出して廃棄できる、小型軽量化された濾過装置を提供することを目的とする。
【課題を解決するための手段】
【０００５】
以下の構成はそれぞれ上記の課題を解決するための手段である。
【０００６】
＜構成１＞
泥水から泥を濾し分ける目の荒さを持った多孔性の袋と、
この袋の口を広げて着脱可能に固定するスリーブと、
このスリーブの開口を塞ぐキャップと、
このキャップに設けられて、泥水を注ぎ込むためのホース接続口と、
上端に上記スリーブを支持して、内部に上記袋を吊り下げるように支持するフレームと、
フレームを収容し、底に近い部分に濾過された水を排出する排出口を設けた容器とを備え、
上記フレームは、上記袋の外面と上記容器の内面との間に、濾過された水が上記排出口まで流れる空間を形成していることを特徴とする濾過装置。
【０００７】
＜構成２＞
上記フレームは、上記スリーブを支持する上部リングと、土台になる下部リングと、袋を円筒状に取り囲む数本の支柱により構成され、下部リングの外径は上部リングの外径よりも小さいことを特徴とする構成１に記載の濾過装置。
【０００８】
＜構成３＞
上記スリーブには、側面に、袋の上部から溢れ出た泥水を、上記フレームを介して容器上部に流すための窓が設けられていることを特徴とする構成１または２に記載の濾過装置。
【０００９】
＜構成４＞
袋が膨らんだときの外径が、フレームの柱により形成された円筒状の空間の内径とほぼ等しくなるように寸法が選定されていることを特徴とする構成１乃至３のいずれかに記載の濾過装置。
【００１０】
＜構成５＞
上記スリーブの外周に設けたフランジの外径が上記フレームの上部リングの内径より大きく、上記スリーブが上記上部リング上に支持されていることを特徴とすることを特徴とする構成１乃至４のいずれかに記載の濾過装置。
【００１１】
＜構成６＞
少なく上記フレームとキャップは金属製でその他の部品はプラスチック製としたことを特徴とする構成１乃至５のいずれかに記載の濾過装置。
【考案の効果】
【００１２】
＜構成１の効果＞
スリーブを取り付けた袋をフレームに吊り下げて容器内に収容するので、袋の交換が容易で、全体として軽量化し易い。強度を保持するフレームが濾過した水が流れる空間を形成するスペーサの役割を果たし、袋全体が広い面積のフィルタになり、多量の泥水を濾過できる。
＜構成２の効果＞
フレームの下部リングが上部リングより小径なので、フレームを容器から出し入れし易い。また、容器の下部ほど広い空間を確保できて、水の流れが良い。また、袋をフレームから取り出して交換し易い。
＜構成３の効果＞
袋に泥水が勢いよく流れ込むと、泥水中の重い成分は袋中に沈下するが、軽い成分が水とともに袋の上部から溢れ出ることがある。これが、スリーブに設けられた窓を通じて容器中に流れこみ、濾過されない状態で排出される。容器の排出孔に微細な泥等の成分を濾紙する補助袋を設ければ、泥水を完全に浄化できる。
＜構成４の効果＞
袋の中に泥水が勢いよく流れ込んでも、袋がフレーム中に形良く収まって泥水を良好に濾過する。
＜構成５の効果＞
スリーブによりフレームの上部から袋を吊り下げるので、袋の交換が容易になる。
＜構成６の効果＞
フレームにより強度を保ち、全体として軽量化できる。
【図面の簡単な説明】
【００１３】
【図１】本考案の濾過装置の分解斜視図である。
【図２】濾過装置１２の組み立てを完成した状態の斜視図である。
【図３】容器を切り欠いて内部に収容されたフレームを側方から見た斜視図である。
【図４】スリーブ１８に袋１４を固定した状態の側面図である。
【図５】使用状態の濾過装置１２の容器３６の内部を示す一部切断側面図である。
【図６】フレームから袋を取り出す作業を示す斜視図である。
【考案を実施するための形態】
【００１４】
以下、本考案の実施の形態を実施例毎に詳細に説明する。
【実施例１】
【００１５】
図１は本考案の濾過装置の分解斜視図である。
本考案では、泥水から泥を濾し分けることができる程度の目の荒さを持った多孔性の袋１４を使用する。袋１４には、例えば、土木工事等で汎用されている麻袋が適する。袋１４の口には、袋１４の口を円形にひろげておくためのスリーブ１８をはめ込む。
【００１６】
袋１４をスリーブ１８に固定するには、バンド１６を使用し、袋１４を交換するときにはバンド１６を外す。使用時には、スリーブ１８の開口をキャップ２２で塞ぐ。このキャップ２２にはホース接続口２４が取付けられている。ホース接続口２４には、この濾過装置に泥水を送り込むための図示しないホースが接続される。泥水の溜まった側溝にはポンプが据え付けられてホースを通じて泥水がこの濾過装置に送り込まれる。ここではポンプも図示していない。
【００１７】
スリーブ１８を通じて袋１４に泥水が注ぎ込まれると、袋１４全体が丸く膨らむ。丸く膨らんだ袋１４を取り囲むように、フレーム２６が設けられている。フレーム２６は、スリーブ１８を支持する上部リング２８と、土台になる下部リング３０と、袋１４を円筒状に取り囲む数本の支柱３２により構成されている。
【００１８】
スリーブ１８の外周に設けたフランジ２０の外径は、フレーム２６の上部リング２８の内径より大きくされている。これにより、スリーブ１８が上部リング２８上に支持され、フレーム２６中に袋１４が吊り下げられるようになる。容器３６には、濾過した水を排出する排出口３８が設けられている。
【００１９】
図２は濾過装置１２の組み立てを完成した状態の斜視図である。
図１に示したフレーム２６を容器３６内に収容し、袋１４を取り付けたスリーブ１８をフレーム２６の上方から挿入し、最後にキャップ２２で蓋をする。これで、濾過装置１２の組み立てが終わる。いずれの部品も簡単に脱着できるので組み立ても分解も容易である。
【００２０】
図３は、容器を切り欠いて内部に収容されたフレームを側方から見た斜視図である。
フレーム２６は容器３６の中に収容される。フレーム２６の上部は容器３６の上方にわずかに突き出している。従って、上部リング２８を掴めば容器３６にフレーム２６を容易に出し入れできる。
【００２１】
容器３６は、濾過された水を収容するためのものである。容器３６の底に近い部分に、排出口３８を設けた。フレーム２６とキャップ２２とは水圧に耐えるように鉄製が好ましい。その他の部品は全てプラスチック製でよい。
【００２２】
また、装置は、工事現場に容易に持ち運べるほど軽量化されていることが好ましい。排水ポンプの水圧が高いことから、丈夫な鉄製の容器３６を使用することが考えられるが、重量物になる。本考案では、プラスチック製の容器３６を使用できる。これで、全体として十分に軽量化できる。
【００２３】
図４はスリーブ１８に袋１４を固定した状態の側面図である。
袋１４は、バンド１６によりスリーブ１８の下端に固定される。スリーブ１８には、袋１４で覆われない場所に窓３４が設けられている。これは、泥水の水面が窓３４の位置まで上昇したときに、泥水を袋１４を通さずに容器３６中に排出するためのものである。その機能は図５を用いて説明する。
【００２４】
図５は、使用状態の濾過装置１２の容器３６の内部を示す一部切断側面図である。
袋１４はフレーム２６の支柱３２によりこれ以上外側に膨らむことが阻止される。袋１４が膨らんだときの外径が、フレーム２６の支柱３２により形成された円筒状の空間の内径とほぼ等しくなるように、各部の寸法が選定されているとよい。これにより、袋１４の外面と容器３６の内面との間に、十分広い空間４０が生じる。従って、袋１４の中に泥水が勢いよく流れ込んでも、容器３６の中から排出口３８を通じて排出される水の勢いを妨げない。
【００２５】
袋１４に泥水が注ぎ込まれると、泥は袋１４の中に残って、浄化された水が袋１４の網目を通過して外側に流れだす。袋全体が濾過装置１２になるので、非常に有効面積が広い。従って、多量の泥水を一気に濾過することができる。即ち、面積の狭いフィルタを使用して短時間で目詰まりを起こすといった問題が解消する。
【００２６】
また、袋１４の中に一気に泥水が流れ込むと、泥水の水面が一時的に上昇して窓３４から泥水が溢れ出ることがある。この泥水は、袋１４を経ることなく排出口３８に達する。ここで、泥水中の重量の重い小石や土片はすぐに袋１４中に沈下する。窓３４から溢れ出るのは軽い微細な泥である。これがそのまま排出されないように、排出口３８に補助袋４２を取り付けておく。
【００２７】
上記のような窓３４を設けておかないと、容器３６の上縁と上部リング２８の間から泥水が溢れだして、装置の周囲を汚してしまう。図５に示したような構造により、勢いよく袋１４中に送り込まれた泥水が、一時的にも容器３６から溢れ出るのを防止することができ、確実に泥水を浄化することができる。
【００２８】
図６は、フレームから袋を取り出す作業を示す斜視図である。
袋１４が一杯になったとき、まず、キャップ２２を外してから、バンド１６を外してスリーブ１８と袋１４とを分離する。そして、スリーブ１８を取り出した後に、袋１４を吊り上げる。そして、スリーブ１８に別の新しい袋１４を取り付ければ、すぐに作業を再開することができる。即ち、フィルタの交換がきわめて容易だという特徴がある。濾過した泥は、袋のまま運び出すことができる。
【符号の説明】
【００２９】
１２  濾過装置
１４  袋
１６  バンド
１８  スリーブ
２０  フランジ
２２  キャップ
２４  ホース接続口
２６  フレーム
２８  上部リング
３０  下部リング
３２  支柱
３４  窓
３６  容器
３８  排出口
４０  空間
４２  補助袋
【図１】
0003195202.tif 000003
【図２】
0003195202.tif 000004
【図３】
0003195202.tif 000005
【図４】
0003195202.tif 000006
【図５】
0003195202.tif 000007
【図６】
0003195202.tif 000008